(57)【要約】  【課題】広い配光特性を有するＬＥＤライン光源を用いた照明器具を提供する。  【解決手段】ＬＥＤライン光源１０の前面を覆うように配光調整用レンズ２０が配置される。配光調整用レンズ２０は、ＬＥＤモジュール１１の発光面１１１からの光を、ＬＥＤ光軸面２９２を挟んで両側に拡散させ、ＬＥＤ光軸面２９２とＬＥＤ発光面２９１とに垂直な平面内において、ＬＥＤモジュール１１の光軸とのなす角が小さな方向よりも大きな方向において相対光束を増加させる配光特性を有する。具体的には、光入射面として機能する内周面（凹曲面）２３、および光放射面として機能する外周面（凸曲面）２４を有する略半円筒状であり、内周面２３は、ＬＥＤ光軸面２９２と垂直な断面内において、内周面２３は二次曲面形状を有し、外周面２４は、頂部２７になだらかな傾きの略平坦部２８を有する高次非球面形状である。【選択図】図１
2011077002.tif 000002
【特許請求の範囲】
【請求項１】
複数のＬＥＤモジュールがライン状に配列されて構成されたＬＥＤライン光源を備えた照明器具であって、
前記ＬＥＤライン光源の前面を覆うように配置された配光調整用レンズを有し、
前記配光調整用レンズは、
前記ＬＥＤモジュールからの光を、前記配光調整用レンズの長手方向に対して垂直な平面内において、当該ＬＥＤモジュールの光軸方向とのなす角が小さな方向よりも大きな方向において相対光束が多くなる配光特性を有する
ことを特徴とする照明器具。
【請求項２】
請求項１に記載の照明器具であって、
前記配光調整用レンズは、
光入射面として機能する内周面、および光放射面として機能する外周面を有する略半円筒状であり、
前記内周面は、
前記配光調整用レンズの長手方向に対して垂直な断面において頂部から離れるほど傾きが大きくなる第一の非球面形状であり、
前記外周面は、
前記断面において頂部から離れるほど傾きが大きくなり、かつ当該頂部が、前記内周面の頂部よりも傾きの変化が少ない略平坦な第二の非球面形状である
ことを特徴とする照明器具。
【請求項３】
請求項２に記載の照明器具であって、
前記配光調整用レンズは、
前記略半円筒形状のレンズブロックが複数連結されて構成されており、
前記レンズブロックは、
他の前記レンズブロックとの接合面に光拡散面が形成されている
ことを特徴とする照明器具。
【請求項４】
請求項１ないし３のいずれか一項に記載の照明器具であって、
前記複数のＬＥＤモジュールの光軸を含む面に対して一方の側に向けて照射された光を、当該面に対して他方の側に向けて反射させるリフレクタと、
前記ＬＥＤライン光源、前記配光調整用レンズ、および前記リフレクタを保持する筺体と、をさらに有し、
前記筺体は、
前記面に対して一方の側に、前記リフレクタを、前記複数のＬＥＤモジュールの配列に沿って配置されるように保持する
ことを特徴とする照明器具。
【請求項５】
請求項１ないし３のいずれか一項に記載の照明器具であって、
前記ＬＥＤライン光源および前記配光調整用レンズを収容し、前記ＬＥＤライン光源からの光が透過する筺体をさらに有し、
前記配光調整用レンズは、
前記筺体の内側に外周面を向けて、前記筺体の内壁に設置される
ことを特徴とする照明器具。
【発明の詳細な説明】
【技術分野】
【０００１】
本発明は、ＬＥＤライン光源を用いた照明器具に関する。
【背景技術】
【０００２】
表面実装型（Ｓｕｒｆａｃｅ  Ｍｏｕｎｔｅｄ  Ｄｅｖｉｃｅ  Ｔｙｐｅ）ＬＥＤモジュールは、発光効率が高く、かつ高出力であり、照明用途に利用可能なＬＥＤ光源として期待されている。
【０００３】
図８（Ａ）は、一般的な表面実装型ＬＥＤモジュール６０の正面図であり、図８（Ｂ）は、図８（Ａ）に示す表面実装型ＬＥＤモジュール６０のＦ−Ｆ断面図である。
【０００４】
図示するように、表面実装型ＬＥＤモジュール６０は、逆円錐台状の凹部６２が形成された台座６１と、凹部６２の底面中央に配置された青色ＬＥＤ６３と、凹部６２の側面に形成されたリフレクタ６４と、凹部６２に充填された黄色蛍光体分散樹脂６５と、を有する。このような構成において、青色ＬＥＤ６３から出力された青色光は、その一部が黄色蛍光体分散樹脂６５中の黄色蛍光体に当たって黄色光に波長変換される。青色ＬＥＤ６３からの青色光と、このような黄色光とが、混色されて白色光となり、直接あるいはリフレクタ６４で反射した後、凹部６２（以下、凹部６２の縁に囲まれた面領域Ｓを発光面と呼ぶ）から、表面実装型ＬＥＤモジュール６０の前方へ放出される。
【０００５】
ところで、表面実装型ＬＥＤモジュール６０の配光角は、一般に１２０度程度であり、蛍光灯等に比べて狭い。このため、例えば棚下照明器具のライン光源として、蛍光灯の代わりに、複数の表面実装型ＬＥＤモジュール６０がライン状に配列されて構成されたＬＥＤライン光源を用いた場合、棚下照明器具の設置位置あるいは陳列品の陳列位置によっては、陳列品に光を十分に当てることができない。
【０００６】
これに対し、特許文献１には、ＬＥＤモジュールを用いた照明器具の集光点可変機構が開示されている。この集光点可変機構は、複数のＬＥＤモジュールを搭載する基板に固定されたフレキシブルワイヤーを有する。この集光点可変機構によれば、フレキシブルワイヤーを捩じることにより、複数のＬＥＤモジュールの照射方向を一括して変更することができる。したがって、ＬＥＤライン光源を用いた棚下照明器具に、特許文献１に記載の集光点可変機構を適用することにより、簡単な操作で、陳列品に光が十分に当たるように照射方向を調節することができる。
【先行技術文献】
【特許文献】
【０００７】
【特許文献１】特開２００３−４５２２３号公報
【発明の概要】
【発明が解決しようとする課題】
【０００８】
しかしながら、ＬＥＤライン光源を用いた棚下照明器具に、特許文献１に記載の集光点可変機構を適用した場合、つぎのような問題が生ずる。すなわち、例えば棚前方の陳列品に光が十分に当たるようにＬＥＤライン光源の照射方向を調節すると、棚の奥行きによっては棚後方に光が届かなくなり、棚全体を明るく保つことができなくなる。
【０００９】
本発明は上記事情に鑑みてなされたものであり、本発明の目的は、より広い配光特性を有するＬＥＤライン光源を用いた照明器具を提供することにある。
【課題を解決するための手段】
【００１０】
上記課題を解決するために、本発明は、ＬＥＤライン光源の前面を覆うように配光調整用レンズを配置する。この配光調整用レンズは、長手方向に対して垂直な面内において、より広い配光角となるようにＬＥＤモジュールからの光を拡散させる。
【００１１】
例えば、本発明は、複数のＬＥＤモジュールがライン状に配列されて構成されたＬＥＤライン光源を備えた照明器具であって、
前記ＬＥＤライン光源の前面を覆うように配置された配光調整用レンズを有し、
前記配光調整用レンズは、
前記ＬＥＤモジュールからの光を、前記配光調整用レンズの長手方向に対して垂直な平面内において、当該ＬＥＤモジュールの光軸方向とのなす角が小さな方向よりも大きな方向において相対光束が多くなる配光特性を有する。
【００１２】
ここで、前記配光調整用レンズは、光入射面として機能する内周面、および光放射面として機能する外周面を有する略半円筒状であり、
前記内周面は、前記配光調整用レンズの長手方向に対して垂直な断面において頂部から離れるほど傾きが大きくなる第一の非球面形状であり、
前記外周面は、前記断面において頂部から離れるほど傾きが大きくなり、かつ当該頂部が、前記内周面の頂部よりも傾きの変化が少ない略平坦な第二の非球面形状であってもよい。
【発明の効果】
【００１３】
本発明によれば、より広い配光特性を有するＬＥＤライン光源を用いた照明器具を提供することができる。
【図面の簡単な説明】
【００１４】
【図１】図１（Ａ）は、本発明の一実施の形態に係る棚下照明器具１の概略正面図であり、図１（Ｂ）は、図１（Ａ）に示す棚下照明器具１のＡ−Ａ断面図である。
【図２】図２（Ａ）は、ＬＥＤライン光源１０の概略正面図であり、図２（Ｂ）は、図２（Ａ）に示すＬＥＤライン光源１０のＢ−Ｂ断面図である。
【図３】図３（Ａ）は、配光調整用レンズ２０の概略正面図であり、図３（Ｂ）は図３（Ａ）に示す配光調整用レンズ２０のＣ−Ｃ断面図である。
【図４】図４（Ａ）は、配光調整用レンズ２０の２次元配光分布を説明するための図であり、図４（Ｂ）は、図４（Ａ）のＹＺ面内における配光特性を説明するための図である。
【図５】図５（Ａ）は、筺体４０の概略正面図であり、図５（Ｂ）は、図５（Ａ）に示す筺体４０のＤ−Ｄ断面図である。
【図６】図６（Ａ）は、配光調整用レンズ２０が配置されたＬＥＤライン光源１０の配光特性を説明するための図であり、図６（Ｂ）は、棚下照明器具１の配光特性を説明するための図である。
【図７】図７（Ａ）は、本発明の他の実施の形態に係る看板照明器具２の概略正面図であり、図７（Ｂ）は、図７（Ａ）に示す看板照明器具２のＥ−Ｅ断面図である。
【図８】図８（Ａ）は、一般的な表面実装型ＬＥＤモジュール６０の正面図であり、図８（Ｂ）は、図８（Ａ）に示す表面実装型ＬＥＤモジュール６０のＦ−Ｆ断面図である。
【図９】図９（Ａ）は、図１に示す棚下照明器具１の変形例１ａの概略正面図であり、図９（Ｂ）は、図９（Ａ）に示す棚下照明器具１ａのＧ−Ｇ断面図である。
【発明を実施するための形態】
【００１５】
以下に、本発明の実施の形態について説明する。
【００１６】
図１（Ａ）は、本発明の一実施の形態に係る棚下照明器具１の概略正面図であり、図１（Ｂ）は、図１（Ａ）に示す棚下照明器具１のＡ−Ａ断面図である。
【００１７】
図示するように、棚下照明器具１は、ＬＥＤライン光源１０と、ＬＥＤライン光源１０の前面を覆うように配置された配光調整用レンズ２０と、例えばマイクロ発泡ＰＥＴ（ＭＣＰＥＴ（登録商標））シート等のリフレクタ３０と、ＬＥＤライン光源１０、配光調整用レンズ２０、およびリフレクタ３０を保持する筺体４０と、を有する。ここで、符号２９１は、ＬＥＤライン光源１０に搭載された後述のＬＥＤモジュール１１各々の発光面を含む面（以下、ＬＥＤ発光面と呼ぶ）、符号２９２は、ＬＥＤモジュール１１各々の光軸を含む面（以下、ＬＥＤ光軸面と呼ぶ）を示す。
【００１８】
図２（Ａ）は、ＬＥＤライン光源１０の概略正面図であり、図２（Ｂ）は、図２（Ａ）に示すＬＥＤライン光源１０のＢ−Ｂ断面図である。
【００１９】
図示するように、ＬＥＤライン光源１０は、複数のＬＥＤモジュール１１と、これらのＬＥＤモジュール１１が搭載された基板１２と、を有する。複数のＬＥＤモジュール１１は、基板１２の長手方向に沿って所定の間隔でライン状に配列される。基板１２両側の側端部（基板１２の長手方向に沿った端部）１３は、筺体４０にＬＥＤライン光源１０を保持させるための被保持部として機能する。なお、ＬＥＤモジュール１１には、例えば、図８に示す表面実装型ＬＥＤモジュール６０を用いることができる。
【００２０】
図３（Ａ）は、配光調整用レンズ２０の概略正面図であり、図３（Ｂ）は図３（Ａ）に示す配光調整用レンズ２０のＣ−Ｃ断面図である。
【００２１】
図示するように、配光調整用レンズ２０は、例えばポリカーボネートで形成された略半円筒形状のレンズブロック２１が複数連結されて構成される。レンズブロック２１の他のレンズブロック２１との接合面には、入射光を拡散するための光拡散面２２が形成されている。この光拡散面２２は、図示するように、連結対象のレンズブロック２１の光拡散面２２と互いに噛み合うギザギザ形状でもよいし、あるいは微細な凹凸が形成されたものでもよい。
【００２２】
また、レンズブロック２１は、ＬＥＤライン光源１０から放出された光の入射面として機能する内周面（ＬＥＤモジュール１１の配列を囲む凹曲面）２３と、内周面２３に入射した光の放射面として機能する外周面（凸曲面）２４と、長手方向に沿った両側の端部に形成された、筺体４０に配光調整用レンズ２０を保持させるための被保持部２５と、を有する。
【００２３】
内周面２３は、レンズブロック２１の長手方向に対して垂直な断面において、頂部（内周面２３とＬＥＤ光軸面２９２との交差ライン）２６から離れるほど傾き（ＬＥＤ発光面２９１と平行な面とのなす角α１）が大きくなり、ＬＥＤ発光面２９１で終端する非球面形状である。例えば、内周面２３は、レンズブロック２１の長手方向に対して垂直な断面において、以下の非球面形状公式（１）で表わされる二次曲面形状を有する。
【００２４】
非球面形状公式（１）：
ｚ＝ｃ１×ｙ２／（１＋ｓｑｒｔ（１−（１＋Ｋ１）×ｃ２×ｙ２））
ここで、ｃ１は曲率（１／ｍｍ）、Ｋ１は負のコーニック係数、ｙは、ＬＥＤ光軸面２９２から内周面２３上の点までの距離、ｚは、内周面２３の頂部２６に接する面から内周面２３上の点までの距離（ザグ量）である。
【００２５】
一方、外周面２４は、レンズブロック２１の長手方向に対して垂直な断面において、頂部（外周面２４とＬＥＤ光軸面２９２との交差ライン）２７になだらかな傾きを持つ略平坦部２８を有し、頂部２７から離れるほど傾き（ＬＥＤ発光面２９１と平行な面とのなす角α２）が大きくなり、ＬＥＤ発光面２９１の近傍（被保持部２５）で終端する非球面形状である。例えば、外周面２４は、レンズブロック２１の長手方向に対して垂直な断面において、以下の非球面形状公式（２）により表わされる高次の非球面形状を有する。
【００２６】
非球面形状公式（２）：
ｚ＝ｃ２×ｙ２／（１＋ｓｑｒｔ（１−（１＋Ｋ２）×ｃ２×ｙ２））＋Ａ×ｙ４＋Ｂ×ｙ６
ここで、ｃ２は曲率（１／ｍｍ）、Ｋ２は正のコーニック係数、Ａは４次係数、Ｂは６次係数、ｙは、ＬＥＤ光軸面２９２から外周面２４上の点までの距離、ｚは、外周面２４の頂部２７に接する面から外周面２４上の点までの距離（ザグ量）である。そして、外周面２４が内周面２３よりもフラットな形状となるように、外周面２４を表わす非球面形状公式（２）の曲率ｃ２は、内周面２３を表わす非球面形状公式（１）の曲率ｃ１よりも絶対値が小さな値に設定している。
【００２７】
図４（Ａ）は、配光調整用レンズ２０の２次元配光分布を説明するための図であり、図４（Ｂ）は、図４（Ａ）のＹＺ面内における配光特性を説明するための図である。ここで、ＬＥＤライン光源１０上の任意のＬＥＤモジュール１１の光軸をＺ軸と定義し、ＬＥＤライン光源１０に対して適切な位置に配置された配光調整用レンズ２０の長手方向(ＬＥＤモジュール１１の配列方向）に沿ってＸ軸、および幅方向（長手方向に直交する方向）に沿ってＹ軸をＬＥＤ発光面２９１内に定義している。なお、符号１１１は、ＬＥＤモジュール１１の発光面、符号１１２は、原点を通る光放射方向とＺ軸とのなす角を示す。
【００２８】
図示するように、配光調整用レンズ２０は、ＬＥＤモジュール１１の発光面１１１からの光をＹ軸方向に拡散させ、ＺＹ平面内において、Ｚ軸となす角１１２が小さな方向よりも大きな方向（例えば、約５０度から約９０度の方向）において相対光束を増加させる配光特性を有する。このため、例えば、図８に示す表面実装型ＬＥＤモジュール６０をＬＥＤライン光源１０のＬＥＤモジュール１１として用いた場合、図６（Ａ）に示すように、ＬＥＤ光軸面２９２を中心とする配光角を約１２０度から約１８０度にまで広げることができる。
【００２９】
図５（Ａ）は、筺体４０の概略正面図であり、図５（Ｂ）は、図５（Ａ）に示す筺体４０のＤ−Ｄ断面図である。
【００３０】
図示するように、筺体４０は、ＬＥＤライン光源１０の側端部１３を保持するための保持部４１と、配光調整用レンズ２０の被保持部２５を保持するための保持部４２と、リフレクタ３０両側の側端部（リフレクタ３０の長手方向に沿った端部）を保持するための保持部４３と、電源およびＬＥＤライン光源１０への配線等を収容するための収容部４４と、を有する。
【００３１】
図１に示すように、保持部４１は、棚下への取り付け面（背面）４５に対して、ＬＥＤ光軸面２９２が収容部４４側に傾くように、ＬＥＤライン光源１０を保持する。また、保持部４２は、ＬＥＤモジュール１１からの光が内周面２３の一方の縁部から他方の縁部にかけて照射されるように（図６（Ａ）参照）、保持部４１に保持されたＬＥＤライン光源１０に対して適正な位置に配光調整用レンズ２０を固定する。具体的には、内周面２３の頂部２６および外周面２４の頂部２７が複数のＬＥＤモジュール１１上に配置され、内周面２３の縁部とＬＥＤ発光面２９１との間隔が所定の寸法以下となるように、配光調整用レンズ２０が位置付けられる。
【００３２】
そして、保持部４３は、リフレクタ３０の長手方向がＬＥＤライン光源１０の長手方向に沿うように、ＬＥＤライン光源１０と収容部４４との間にリフレクタ３０を固定する。ここで、リフレクタ３０の反射面は、背面４５に対して、ＬＥＤ光軸面２９２の傾斜角度よりも若干小さな所定の角で傾斜する。
【００３３】
このようにすることで、例えば、図８に示す表面実装型ＬＥＤモジュール６０をＬＥＤライン光源１０のＬＥＤモジュール１１として用いた場合、図６（Ｂ）に示すように、表面実装型ＬＥＤモジュール６０から照射され、配光調整用レンズ２０を介して、ＬＥＤ光軸面２９２に対して両側に約５０度〜９０度の方向に向かう相対光束の多い光Ｌ１、Ｌ２のうち、一方の光Ｌ１は、遮断されることなく筺体４０の外部に放射され、他方の光Ｌ２は、リフレクタ３０の反射面で反射し、一方の光Ｌ１の照射領域側を照射するように筺体４０の外部に放射される。
【００３４】
以上、本発明の一実施の形態を説明した。
【００３５】
本実施の形態では、ＬＥＤライン光源１０の前面を覆うように配光調整用レンズ２０が配置される。配光調整用レンズ２０は、ＬＥＤモジュール１１の配列方向に垂直な平面（図４（Ａ）のＺＹ平面）内において、ＬＥＤモジュール１１の光軸（図４（Ａ）のＺ軸）を挟んで両側にＬＥＤモジュール１１からの光を拡散させ、ＬＥＤモジュール１１の光軸とのなす角が大きな方向において相対光束を増加させる配光特性を有する。具体的には、配光調整用レンズ２０は、光入射面として機能する内周面（凹曲面）２３、および光放射面として機能する外周面（凸曲面）２４を有する略半円筒状であり、内周面２３は、ＬＥＤ光軸面２９２と垂直な断面において頂部２６から離れるほど傾きα１が大きくなる第一の非球面形状であり、外周面２４は、上記の断面において頂部２７から離れるほど傾きα２が大きくなり、かつ頂部２７になだらかな傾きの略平坦部２８を有する第二の非球面形状である。
【００３６】
このようにすることで、図６（Ａ）に示すように、より広い配光特性を有するＬＥＤライン光源１０を用いた照明器具を実現することができる。
【００３７】
また、本実施の形態において、配光調整用レンズ２０は、略半円筒形状のレンズブロック２１が複数連結されて構成されている。そして、レンズブロック２１は、他のレンズブロック２１との接合面に光拡散面２２が形成されている。このようにすることで、ＬＥＤライン光源１０を点灯させた場合に、レンズブロック２１間の接合部に暗部が形成されるのを防止できる。
【００３８】
また、本実施の形態において、ＬＥＤライン光源１０は、ＬＥＤ光軸面２９２が、筺体４０の棚下取付け面（背面）４５に対して収容部４４側に傾くように保持され、リフレクタ３０は、その反射面が、筺体４０の背面４５に対して、ＬＥＤ光軸面２９２の傾斜角度よりも若干小さな所定の角で傾斜するよう保持される。
【００３９】
このようにすることで、図６（Ｂ）に示すように、配光調整用レンズ２０を介して、ＬＥＤ光軸面２９２に対して両側に約５０度〜９０度の方向に向かう相対光束の多い光Ｌ１、Ｌ２のうち、一方の光Ｌ１は、遮断されることなく筺体４０の外部を照射し、他方の光Ｌ２は、リフレクタ３０の反射面で一方の光Ｌ１の照射方向側に反射して、一方の光Ｌ１の照射領域とは異なる領域を照射する。
【００４０】
したがって、本実施の形態の棚下照明器具１を、収容部４４を棚前方（あるいはショーケース前方）に向けて棚下（あるいはショーケースの上面前方）に取り付けることにより、一段下の棚（あるいはショーケースの陳列台）の手前側の陳列品に光Ｌ２を十分に当てることができ、かつ棚後方（あるいはショーケースの背面）にまで光Ｌ１を届かせることができる。このため、棚全体（あるいはショーケース全体）を明るく保つことができる。
【００４１】
なお、本発明は上記の実施の形態に限定されるものではなく、その要旨の範囲内で数々の変形が可能である。
【００４２】
例えば、上記の実施の形態では、レンズブロック２１を複数連結することで配光調整用レンズ２０を構成している。これは、ＬＥＤライン光源１０の長さによっては、この前面を覆うのに必要な長さのレンズブロック２１を射出成型で形成することが技術的に困難なためである。しかし、ＬＥＤライン光源１０の長さが短い場合、あるいは、充分な長さのレンズブロック２１を成型可能な押出成型を利用可能な場合は、一つのレンズブロック２１で配光調整用レンズ２０を構成するようにしてもよい。
【００４３】
また、上記の実施の形態では、本発明を棚下照明器具１に適用した場合を例にとり説明したが、本発明は、比較的広範囲への光の照射が必要とされる様々な照明器具に利用可能である。例えば、看板照明器具、ビューワーなどの平面光源（面光源）にも適用可能である。
【００４４】
図７（Ａ）は、本発明の他の実施の形態に係る看板照明器具２の概略正面図であり、図７（Ｂ）は、図７（Ａ）に示す看板照明器具２のＥ−Ｅ断面図である。ここで、図１に示す棚下照明器具１と同じ機能を有する構成には、図１で用いた符号と同じ符号を付している。
【００４５】
図示するように、看板照明器具２は、ＬＥＤライン光源１０と、ＬＥＤライン光源１０の前面を覆うように配置された配光調整用レンズ２０と、ＬＥＤライン光源１０および配光調整用レンズ２０を収容する透明あるいは半透明の筺体５０と、を有する。ここで、ＬＥＤライン光源１０および配光調整用レンズ２０は、筺体５０内部を照らすように、筺体５０内部の背面５２に取り付けられる。
【００４６】
上述したように、ＬＥＤライン光源１０の前面を覆うように配光調整用レンズ２０を配置することによって、より広い配光特性を実現できるので、一つのＬＥＤライン光源１０だけでも筺体５０の前面５１のみならず両側面５３、５４からも光を放射することができる。
【００４７】
また、上記の実施の形態では、筺体４０に保持されるリフレクタ３０の傾きを固定とした場合について説明したが、この傾きを調整できるようにしてもよい。図９（Ａ）は、図１に示す棚下照明器具１の変形例１ａの概略正面図であり、図９（Ｂ）は、図９（Ａ）に示す棚下照明器具１ａのＧ−Ｇ断面図である。ここで、図１に示す棚下照明器具１と同じ機能を有する構成には、図１で用いた符号と同じ符号を付している。
【００４８】
図示するように、棚下照明器具１ａが図１に示す棚下照明器具１と異なる点は、筺体４０に代えて筺体４０ａを用いたことである。筺体４０ａは、リフレクタ３０両側の側端部を保持する保持部４３の一方の可動端部４３ａの移動範囲を規定するストッパ４６と、リフレクタ３０の長手方向の軸周りに回転可能に筺体４０の側面側で保持された回転軸４７と、回転軸４７に偏心して取り付けられた円板４８と、可動端部４３ａを収容部４４側に付勢するバネ、ゴム等の弾性部材４９とが、筺体４０に追加された構成を有する。このような構成において、回転軸４７を回転させると、弾性部材４９により可働端部４３ａが収容部４４側へ付勢された状態で、リフレクタ３０の背面側の面と円板４８の外周面との接触位置が変化する。これにより、ストッパ４６により規定される移働範囲内において可動端部４３ａが移動し、筺体４０の背面４５に対するリフレクタ３０の傾きが変化する。このような構成にすることにより、リフレクタ３０の傾きを調整することができる。
【００４９】
なお、回転軸４７の回転角度の調整は、回転軸４７の一方の端部に、つまみのギアとかみ合うギアを取り付け、これらのギアを介して行うようにしてもよい。このようにすることで、回転軸４７の回転角度をより精度よく調整することができる。
【符号の説明】
【００５０】
１：棚下照明器具、２：看板照明器具、１０：ＬＥＤライン光源、１１：ＬＥＤモジュール、１２：基板、１３：基板両側の側端部、２０：配光調整用レンズ、２１：レンズブロック、２２：光拡散面、２３：内周面、２４：外周面、２５：被保持部、２６：頂部、２７：頂部、２８：略平坦部、３０：リフレクタ、４０：筺体、４１：保持部、４２：保持部、４３：保持部、４４：収容部、４５：背面、４６：ストッパ、４７：回転軸、４８：円板、４９：弾性部材、５０：筺体、５１：前面、５２：背面、５３：側面、５４：側面、６０：表面実装型ＬＥＤモジュール、６１：台座、６２：凹部、６３：青色ＬＥＤ、６４：リフレクタ、６５：黄色蛍光体分散樹脂
【図１】
2011077002.tif 000003
【図２】
2011077002.tif 000004
【図３】
2011077002.tif 000005
【図４】
2011077002.tif 000006
【図５】
2011077002.tif 000007
【図６】
2011077002.tif 000008
【図７】
2011077002.tif 000009
【図８】
2011077002.tif 000010
【図９】
2011077002.tif 000011